(57)【要約】【課題】手書き文字を採点する負担の軽減を図る。【解決手段】複数の一定順序に配列された正解単語がある場合であって，回答書による手書き単語の数は最大で正解単語の数に等しく，かつその並びが正解単語の並びと異なる場合において，正解単語と手書き単語とを照合して正誤判定するときに有効である。手書き文字（単語）を文字認識処理によりテキストデータに変換して，正解単語のコードと比較し正誤判定を行う。文字認識処理により手書き文字が正しく認識されないときには人間による修正作業が必要となる。文字認識により変換されたテキスト文字が手書き文字に対応して正誤判定結果とともに表示される。正答手書き単語に対応する正解単語を除く残りの正解単語の一覧が表示される。文字認識が正しく行なわれていない手書き単語を残り正解単語一覧の中から捜せば，その手書き単語の正誤を判断できる。【選択図】図29
2020030785.tif 000002
【特許請求の範囲】
【請求項１】
複数の正解単語に対応する手書き単語の存否を判定して採点する手書き単語の採点装置において，
入力された採点対象の手書き単語をテキストデータに変換して複数の正解単語データと照合し，いずれかの正解単語に正しく対応する正答手書き単語を特定する正誤判定手段，
正しく対応すると特定された正答手書き単語の存否を正解単語について記憶する正答存否記憶手段，
表示装置の表示画面上に入力された手書き単語を表示するとともに，上記正誤判定手段による正誤判定結果を手書き単語に対応させて表示する判定結果表示手段，ならびに
上記正答存否記憶手段の記憶に基づいて，正答手書き単語が存在する正解単語を除く残りの正解単語を上記表示画面に表示する参照正解表示手段，
を備える手書き文字の採点装置。
【請求項２】
表示画面に表示された残りの正解単語のうちの一つが指示されたことに応答して上記正答存否記憶手段において指示された正解単語の存在を記憶する更新手段，
をさらに備える，請求項１に記載の手書き文字の採点装置。
【請求項３】
上記正誤判定手段によって正解単語に正しく対応すると判定された正答手書き単語の少なくとも数に基づいて採点する採点手段をさらに備え，
上記更新手段は，一つの正解単語が指示されたことに応答して上記採点手段における点数を更新する，
請求項２に記載の手書き文字の採点装置。
【請求項４】
上記判定結果表示手段は変換テキストデータによって表わされるテキスト文字を入力された手書き単語に対応させて表示する，請求項１から３のいずれか一項に記載の手書き文字の採点装置。
【請求項５】
複数の正解単語に対応する手書き単語の存否を判定して採点する手書き単語の採点装置において，
入力された採点対象の手書き単語をテキストデータに変換して複数の正解単語データと照合し，いずれかの正解単語に正しく対応する正答手書き単語を特定する正誤判定手段，
正しく対応すると特定された正答手書き単語の存否を正解単語について記憶する正答存否記憶手段，
表示装置の表示画面上に手書き単語を表示するとともに，変換テキストデータによって表わされるテキスト文字と上記正誤判定手段による正誤判定結果を手書き単語に対応させて表示する判定結果表示手段，ならびに
上記正答存否記憶手段の記憶に基づいて，正答手書き単語が存在する正解単語を除く残りの正解単語を上記表示画面に表示する参照正解表示手段，
を備える手書き文字の採点装置。
【請求項６】
複数の正解単語に対応する手書き単語の存否を判定して採点する手書き単語の採点方法において，
正誤判定手段が，入力された採点対象の手書き単語をテキストデータに変換して複数の正解単語データと照合し，いずれかの正解単語に正しく対応する正答手書き単語を特定し，
正答存否記憶手段が，正しく対応すると特定された正答手書き単語の存否を正解単語について記憶し，
判定結果表示手段が，表示装置の表示画面上に手書き単語を表示するとともに，上記正誤判定手段による正誤判定結果を手書き単語に対応させて表示し，そして
参照正解表示手段が，上記正答存否記憶手段の記憶に基づいて，正答手書き単語が存在する正解単語を除く残りの正解単語を表示画面に表示する，
手書き文字の採点方法。
【請求項７】
複数の正解単語に対応する手書き単語の存否を判定して採点する手書き単語の採点プログラムにおいて，
入力された採点対象の手書き単語をテキストデータに変換して複数の正解単語データと照合し，いずれかの正解単語に正しく対応する正答手書き単語を特定し，
正しく対応すると特定された正答手書き単語の存否を正解単語について記憶し，
表示装置の表示画面上に手書き単語を表示するとともに，上記正誤判定手段による正誤判定結果を手書き単語に対応させて表示し，そして
上記正答存否の記憶に基づいて，正答手書き単語が存在する正解単語を除く残りの正解単語を表示画面に表示するようにコンピュータを制御する手書き文字の採点プログラム。
【発明の詳細な説明】
【技術分野】
【０００１】
この発明は手書き文字の採点装置，方法およびプログラムに関し，一例として，認知機能検査における手書き単語の採点装置，方法およびプログラムに関する。
【背景技術】
【０００２】
人口増と寿命延伸により高齢者人口の増加は著しい。人類の認知機能が老化に伴って低下することを妨げることはできない。たとえば，主たる移動手段として自動車中心の社会といっても過言ではない現状において，認知機能が低下すると，今まで通りの運転がままならなくなり，ひいては交通事故に繋がる可能性が高まるなどの問題が生じ，このような背景から，高齢者の認知機能の状態の確認ニーズは日増しに高まっている。
【０００３】
認知機能の状態の確認は，神経心理検査と呼ばれる認知機能の検査（以下，認知機能検査）の実施により行われている。
【０００４】
認知機能検査は，一般的には医療施設において，検査者と被検者が一対一で実施することを想定して設計されているものがその大半である。しかしながら医療機関での診断とは異なる非医療機関で実施する場合には，効率を高めるために複数人数でのグループによる実施が求められる。現在は，一対一用に設計されたものを基礎として新たに設計されたグループで実施可能な認知機能検査が使われている。
【０００５】
自動車等の運転免許更新時における後期高齢者を対象として実施する認知機能検査は現在は複数人の受検者に回答用紙を配布し，受検者がそこに筆記具で記入して回答するという方式で行なわれている。検査員は検査終了後に回答用紙を集めて採点しなければならない。手書きによる回答を短時間のうちに採点しなければならないので，検査員の負担は大きい。
【０００６】
特許文献１には手書画像から回答を読取り，読取った画像を文字認識技術によりテキストデータに変換して正解テキストデータと照合する検査システムが記載されている。しかしながら，すべての手書文字を正しく採点できるとは限らず，最終的には検査員の目視による判断が必要となる。検査員による目視採点は検査員の負担が大きい。
【先行技術文献】
【特許文献】
【０００７】
【特許文献１】特開２０１５−２１９７３１号公報
【発明の概要】
【０００８】
この発明は，手書き文字を採点する検査員の負担をできるだけ軽減することを目的とする。
【０００９】
この発明による手書き文字（単語）の採点装置は，複数の正解単語に対応する手書き単語の存否（有無）を判定して採点する手書き単語の採点装置において，入力された採点対象の手書き単語をテキストデータに変換して複数の正解単語データと照合し，いずれかの正解単語に正しく対応する正答手書き単語を特定する正誤判定手段，正しく対応すると特定された正答手書き単語の存否を正解単語について記憶する正答存否記憶手段，表示装置の表示画面上に入力された手書き単語を表示するとともに，上記正誤判定手段による正誤判定結果を手書き単語に対応させて表示する判定結果表示手段，ならびに上記正答存否記憶手段の記憶に基づいて，正答手書き単語が存在する正解単語を除く残りの正解単語を上記表示画面に表示する参照正解表示手段を備えるものである。
【００１０】
正答存否記憶手段は，正しく対応する正答手書き単語が存在する正解単語を記憶するものであっても，逆に正しく対応する正答手書き単語が存在しない正解単語を記憶するものであっても，両方（正しく対応する正答手書き単語が存在する正解単語と存在しない正解単語）を区別して記憶するもの（図８の正解記憶領域のように）であってもよい。正誤判定手段による正誤判定結果の表示は，手書き単語ごとに正または誤の表記でもよいし，誤（不正解）のみの表記でもよいし，いずれかの正解単語に正しく対応すると特定された正解の手書き単語については文字認識結果によるテキスト文字（単語）または正解単語を手書き単語に対応させて表示してもよい。表示画面上に正解単語の一覧を表示することが好ましい。この発明の採点装置は，手書き文字の正誤判定装置ということもできるし，手書き文字の自動判定結果の修正装置または修正補助装置ということもできる。すなわち，採点装置は手書き文字の自動判定機能に加えて，その自動判定結果を係員が修正するための補助機能を備えていればよく，必ずしも最終的な点数を算出する機能を備えていなくてもよい。正解の数を数えるにしても，たとえば半分以上正解であるというような判定結果を出力するだけでもよい。
【００１１】
一実施態様では，表示画面に表示された残りの正解単語のうちの一つが指示されたことに応答して上記正答存否記憶手段において上記の指示された正解単語の存在を記憶する更新手段をさらに備える。
【００１２】
他の実施態様では，採点装置は上記正誤判定手段によって正解単語に正しく対応すると判定された手書き単語の少なくとも数に基づいて採点する採点手段をさらに備える。そして上記更新手段が，一つの正解単語が指示されたことに応答して上記採点手段における点数を更新する。この発明の実施態様では，上記採点装置が汎用コンピュータ（パーソナルコンピュータ（ＰＣ）），モバイルコンピュータ等により実現される。この場合に，上記正誤判定手段，正答存否記憶手段，判定結果表示手段，参照正解表示手段，更新手段，採点手段等の機能実現手段は，コンピュータ本体，メモリ，ディスプレイ等のハードウェアとこれらを制御するコンピュータプログラムとの組合せにより実現される。一実施態様では上記プログラムはコンピュータに内蔵される。他の実施態様では，上記各種機能実現手段を実現するコンピュータプログラムをクラウドコンピューティングシステムに保持しておいて，これを必要に応じてコンピュータにダウンロードし，各種機能実現手段を構成（実現）するようにしてもよい（最初にすべてのプログラムをダウンロードしてもよいし，いくつかに分けたプログラムルーチンを都度ダウンロードしてもよい）。各種データもクラウドコンピューティングシステムに保持させるようにすることもできる。
【００１３】
この発明は上記採点装置による採点方法，上記採点装置をコンピュータで実現するためのコンピュータプログラムも提供している。
【００１４】
この発明は複数（所定数）の一定順序に配列された正解単語がある場合であって，回答すべき手書き単語の数は最大で正解単語の数に等しく，かつその並びが正解単語の並びと異なる場合（同じ場合もありうる）において，正解単語と手書き単語とを照合して採点（正誤判定）する場合に特に有効である。並び方が正解単語の並び方と異なることがありうる手書き単語の正誤を，目視で正解単語と対比して判断するのは大変な作業であり労力もかかる。この発明では手書き文字（単語）を文字認識処理によりテキストデータに変換して，このテキストデータを正解単語のコード（テキストデータ）とコンピュータにより比較しているから，きわめて短時間に正誤判定が可能となる。文字認識処理により手書き文字が正しく認識されない場合がある。このときには人間による修正作業が必要となる。この修正作業のために正答手書き単語に対応する正解単語を除く残りの正解単語の一覧が表示されるので，文字認識が正しく行なわれていない手書き単語（文字認識処理結果による判定では不正解（誤）と判断されたもの）（人間が判読できることが前提）を残り正解単語一覧の中から捜せば，その手書き単語の正誤を判断できる。このようにして，自動判定結果の修正を短時間で容易に行なうことができるようになる。
【００１５】
文字認識により変換されたテキスト文字（変換テキストデータによって表わされるテキスト文字（単語））を手書き文字に対応して正誤判定結果とともに表示するようにすると，文字認識が正しく行なわれたかどうかが一目して分る。
【００１６】
以下，この発明を認知機能検査の実施システム（その進行管理システム）に適用した実施例について詳しく説明する。
【図面の簡単な説明】
【００１７】
【図１】認知機能検査およびその進行管理のためのシステムの全体的構成を示す。
【図２】検査員装置の構成の概要を示す。
【図３】検査員装置用表示画面データ記憶領域を示す。
【図４】端末用表示画面データ記憶領域を示す。
【図５】遷移記憶領域を示す。
【図６】ページ別端末制御データ記憶領域を示す。
【図７】採点表記憶領域を示す。
【図８】正解記憶領域を示す。
【図９】主プログラムおよび端末制御プログラムの流れを示す。
【図１０】採点プログラムの流れを示す。
【図１１】初期設定画面を示す。
【図１２】検査員装置の表示画面の例を示す。
【図１３】検査員装置の表示画面の例を示す。
【図１４】検査員装置の表示画面の例を示す。
【図１５】端末装置の表示画面の例を示す。
【図１６】端末装置の表示画面の例を示す。
【図１７】端末装置の表示画面の例を示す。
【図１８】端末装置の表示画面の例を示す。
【図１９】端末装置における回答記入例を示す。
【図２０】端末装置における回答記入例を示す。
【図２１】イラストの例を示す。
【図２２】イラストの例を示す。
【図２３】イラストの例を示す。
【図２４】端末装置における回答の記入例を示す。
【図２５】端末装置における回答の記入例を示す。
【図２６】端末装置における回答の記入例を示す。
【図２７】端末装置における表示画面の例を示す。
【図２８】検査員装置における採点画面の例を示す。
【図２９】検査員装置における採点画面の例を示す。
【図３０】検査員装置における採点画面の例を示す。
【図３１】検査員装置における採点画面の例を示す。
【図３２】正解記憶領域の他の例を示す。
【図３３】検査員装置における採点画面の他の例を示す。
【図３４】検査員装置における採点画面の他の例を示す。
【図３５】検査員装置における採点画面の他の例を示す。
【図３６】検査員装置における採点画面のさらに他の例を示す。
【図３７】検査員装置における採点画面のさらに他の例を示す。
【図３８】検査員装置における採点画面の他の例を示す。
【図３９】検査員装置における採点画面の他の例を示す。
【実施例】
【００１８】
図１は，認知機能検査を実施するためのシステムの全体を示すものであり，認知機能検査の進行管理の機能および手書き文字の採点の機能を含んでいる。手書き文字の採点装置は主に，次に述べる検査員装置によって実現される。
【００１９】
認知機能検査を実施するためのシステムは，検査員が使用する検査員装置10と，受検者が使用する受検者端末装置20とから構成される。一般に一つの部屋に集められた複数の受検者（10人，15人など）を対象に一挙に認知機能検査を実施するので，複数台の端末装置20が用意される。
【００２０】
検査員装置10と複数台の端末装置20とはそれぞれ通信機能を有し，有線または無線で相互に通信し，プログラムやデータを送受信する。この実施例では両装置10と20はウェブブラウザを搭載し，これにより相互に通信する。
【００２１】
図２は検査員装置10の構成の概要を示している。検査員装置10はいわゆるパーソナルコンピュータ（ＰＣ）で実現され，コンピュータ本体である制御部11（各種制御手段），表示装置により実現される表示部12（表示用メモリを含む），記憶装置により実現される記憶部13，入出力部14およびブラウザ機能により実現される通信制御部15を含む。好ましくは表示部12の表示画面上にはタッチパネルが設けられ，表示部12は入力機能も持つ（表示入力装置）。この場合には入出力部14の入出力インターフェイス機能は表示部12によって実現される。
【００２２】
記憶部13には，さまざまなデータ格納領域，プログラム領域が設けられている。詳細は後述するが，記憶部13には，初期設定データ記憶領域，検査員装置用表示画面データ記憶領域（表示制御手段），端末用（端末装置用）表示画面データ記憶領域，遷移記憶領域，ページ別端末制御データ（第１，第２の端末制御手段，検査時間制御手段）記憶領域，主プログラム（表示制御手段）記憶領域，表示プログラム（表示制御手段）記憶領域，採点プログラム（正誤判定手段，更新手段，採点手段）記憶領域，正解記憶領域（正解存否記憶手段），採点表記憶領域等がある。
【００２３】
端末装置20は好ましくはモバイル端末装置であり，タブレット型端末装置であることが望ましい。すなわち，端末装置20もまた，制御部（第１，第２の端末制御手段，検査時間制御手段），表示部，記憶部，通信制御部等を備え，表示部の表示装置の表示画面上にはタッチパネルが設けられ，入出力インターフェイス部として働く。端末装置20の表示画面上には，後述するように，説明文，注意文，設問，回答欄等が表示され，受検者は表示画面上に指または専用ペンを用いてタッチしたり，文字，数字等を手書きして入力することができる。
【００２４】
この実施例では検査員装置10がサーバとして働き，すべてのデータ，プログラム等をその記憶部13に保有し，後述するように，その都度（画面の変更の毎に）端末装置20で必要なプログラムやデータをサーバ10から端末装置20に送信する。もちろん端末装置20のためのプログラムや端末装置20で用いるデータについては端末装置20に持たせてもよい。他の実施態様では，検査員装置10の記憶部13に記憶されるようなプログラムやデータの全部または一部をクラウドコンピューティングシステム（図示略）にアップロードし，検査員装置10や端末装置20はクラウドコンピューティングシステムと交信しながら認知機能検査の実施，その進行管理を行うようにすることができる。
【００２５】
図３は記憶部13内に設けられる検査員装置用表示画面（進行管理画面）データ（表示制御手段）記憶領域の概要を示すものである。この記憶領域には，初期設定データ領域，進行管理表データ領域およびページ（カテゴリ別，項目別）説明データ領域がある。これらのデータはいずれも検査員装置の表示画面上の配置，データと関連するので，その詳細を図12に示す表示画面を参照して説明する。なお，図３のデータ記憶領域は表示部12の表示用メモリで実現してもよい。
【００２６】
図12において，検査員装置10の表示部12の表示画面には，上から，初期設定データ表示欄31，進行管理表表示欄32およびページ説明欄33が設けられている。最初の画面には開始ボタン34も表示されている。この開始ボタン34は次の画面からは戻るボタン35や次へボタン36に置き替えられる。
【００２７】
ページ説明データ領域は表示画面上のページ説明欄33への表示をするために必要なデータを格納する領域である。このページ説明欄33は，検査員が検査を実行するにあたって，検査員が行うべき手順と内容（指示，各種説明，注意，確認，提示，回答記入，開始，終了の指示等）をその順序にしたがって表示する，いわばガイダンスを示す欄である。ここには８のカテゴリーが示されている。カテゴリーとは，事前指示／説明，自己申告，見当識，遅延再生（イラスト記憶），介入課題，遅延再生（自由回答），遅延再生（手がかり回答），時計描画を指し，いわば認知機能検査の進行ステージ（検査の事前準備，各種検査，検査の種類）である。各カテゴリーを示す用語の下に，項目（各ステージにおける詳細実施項目）が番号をつけて縦に並べられている。項目とは事前指示／説明のカテゴリーでいえば，１．検査に当たっての事前の指示，２．諸注意，３．質問確認，４．検査結果等に関する説明である。これらの項目のうち実施している項目が，カーソル（ポインティングボックス）37で示される（図13，図14を参照）。
【００２８】
これらのカテゴリーと項目の組合せを，この実施例ではページと呼ぶ。認知機能検査が１ページずつ進んでいく，というイメージである。ページには識別符号が付けられる。ここでは，順番にＰ１，Ｐ２，Ｐ３，‥‥，Ｐｉ，‥‥Ｐｎ，‥‥というページ番号を付けるものとする。たとえば，事前指示／説明の４．検査結果等に関する説明はＰ４，自己申告の１．自己申告用紙表示はＰ５である。
【００２９】
進行管理表表示欄の進行管理表には複数台（ここでは10台）の端末装置20の端末番号ごとに，上述したカテゴリーのコラムが表示され，各カテゴリーのコラムには進行中の項目の番号が表示されるようになっている。また，端末番号に対応してその端末番号を使用している受検者の氏名（本人の手書き氏名）が表示される（図14を参照）。さらに，質問の有無等も該当するカテゴリーのコラムにおいて端末番号に対応して表示される（図13，図14を参照）。初期設定データ欄については後述する。進行管理表において，端末番号は縦方向に並び，氏名および８つのカテゴリーは横方向に並んでいる。逆に，端末番号を横方向に配列し，検査の進行段階（カテゴリー等）（検査の種類）を縦方向に配列してもよい。
【００３０】
図４において，端末用表示画面データ記憶領域には，上述したページ毎に，端末装置20に表示する画面を表わすデータ（画面データ）が記憶されている。画面データはテキストデータまたはイメージデータである。各画面データにはＵＲＬが付けられている。端末装置20はＵＲＬを指定して表示すべき画面データを特定する。指定されたＵＲＬの画面データは検査員装置10から端末装置20に送られる。
【００３１】
図５は遷移記憶領域の内容を示すものである。この記憶領域は，現在進行中の検査段階を示すページ番号を記憶するものである。ページは上述したようにカテゴリーと項目から構成されるので，図５には分りやすくするためにこれらの文字が表わされている。
【００３２】
図６はページ別端末制御データ（第１，第２の端末制御手段，検査時間制御手段）記憶領域の内容を示すものである。ページ別端末制御データには，ページ毎に，認知機能検査の各段階で（各ページで）端末装置20が必要とするプログラム，データおよび記憶領域が含まれている。すなわち，端末装置20の表示画面のタッチパネル上で受検者が入力した事項の読取りプログラムと，端末装置20の画面に表示する表示画面データが格納されている場所（端末用表示画面データ記憶領域の場所）のＵＲＬと，端末装置20が表示画面上のタッチパネルから読取ったデータを記憶する領域（端末装置の台数分のデータを記憶できる領域）とがページ毎に設けられている。この記憶領域のページ別端末制御データは検査の進行に伴って各段階で検査員装置10から端末装置20に送られ，それに従って端末装置20が動作する。たとえば，後述する図９のＳ15，Ｓ21，Ｓ22，Ｓ31，Ｓ32，Ｓ41，Ｓ42，Ｓ43，Ｓ44の処理の全部または一部が実行される。これらのページ別端末制御データはあらかじめ端末装置20の記憶部に記憶させておいてもよい。画面データも端末装置20に記憶させておいてもよい。上述したクラウドコンピューティングシステムを利用した場合には，これらのページ別端末制御データをクラウドコンピューティングシステムから端末装置に送信するようになるであろう。
【００３３】
図７は採点表の例を示す。各端末番号について，検査の設問１，３，４，５ごとに，各設問の細かい問題別に点数を記憶できる。合計点とそれに基づく認知機能のレベルの分類も記憶される。
【００３４】
図８に示す正解記憶領域は，イラストごとに，正解（正解単語）およびそのヒントを記憶するとともに，文字認識処理とデータの比較による自動採点（後述する）によって判定される正解の存否を表わすデータ（正解存否記憶手段）（正解存否チェック）（たとえばフラグ）を記憶する。図８において，正解存否チェック欄においてチェックが入れられている（たとえばフラグが立っている）ものについては正解が存在すると判定されたものである。すなわち，正解であると判定された手書き文字に対応する正解単語（いずれかの正解単語に正しく対応すると判定された手書き文字に対応する当該正解単語）がチェックされている。チェックされていない正解単語は正解と判定された対応手書き文字が存在しないものである。このように，正解存否チェック欄には正しく対応する正答手書き単語が存在する正解単語のみを記憶するものであっても，逆に正しく対応する正答手書き単語が存在しない正解単語のみを記憶するものであっても，これらの両方（正しく対応する正答手書き単語が存在する正解単語と存在しない正解単語）を区別して記憶するもの（図８はチェックの有無によって両方を区別して記憶している）であってもよい。
【００３５】
検査員装置10の初期設定画面（図11）において検査員は初期設定を行う。初期設定には遅延再生のイラストパターンの選択と，介入課題において指定する数字の設定と，時計描画において描画すべき時間の設定とが含まれる。遅延再生の検査（設問）とは，複数（ここでは16）の物品等を表わしたイラストを受検者に順次提示し（１枚ずつ，または複数枚ずつ），憶えさせる。適当な時間経過後に（その間に介入課題を実施する），憶えたイラストによって表わされる物品等を表わす単語（ことば，文字）を筆記させる検査である。複数（16）のイラストを１セットとして，あらかじめ複数セット（パターンＡ〜Ｄ）を用意しておき，そのうちの１セットを選択するのが初期設定である。ここでは二重丸のパターンＡが選択されている。
【００３６】
介入課題とは，複数行にわたって，ランダムに記載された１〜９の数字のうち，指定された数字に斜線を引いて消去していく作業を，受検者に一定時間の間行なわせるものである。これは２回行なわれる。斜線を引いて消すべき２回分の数字を複数パターンについてあらかじめ定めておき，その中の一つのパターンを選択するのが初期設定である。ここではパターンＢが選択されている。
【００３７】
時計描画とは受検者に時計の文字盤を描かせ，その中に短針と長針で時間（時刻）を表わさせるものである。その時間を設定するのが初期設定であり，これもあらかじめ定めた４種類の時間の中から選択する。図11では８時20分が選択されている。遅延再生のイラストのパターン，介入課題のパターン，時間をそれぞれ選択した後，決定ボタンを押せば，初期設定が確定する。
【００３８】
図９に示す主プログラム（表示制御手段）の流れにしたがって検査員装置10の実行する処理（動作）について説明する。図９のフローチャートにはページ別端末制御データに含まれる端末装置を制御するプログラムによる処理も含まれている。この主プログラムは検査装置10の記憶部13に格納されているが，クラウドコンピューティングシステムにより制御する場合には，このプログラムをクラウドコンピューティングシステムにアップロードしておき，クラウドコンピューティングシステムからの指令にしたがって検査員装置10が処理を実行するようになる。図10に示す採点プログラムについても同様である。さらに，表示画面の表示を制御する（ボタン34，35，36の押下に応答してページを進める，カーソル37を移動させるなど）表示プログラムについても同様である。表示プログラムによる画面の遷移については図12〜図14の説明で述べる。
【００３９】
初期設定が終了すると，検査員装置10の表示画面には図12に示す画面が表示される。開始ボタン34が押されると（タッチされると）（Ｓ11），ページＰ１に遷移する。すなわち，遷移記憶領域のページを示す値がＰ１（第１ページ）となり，表示画面が更新される（Ｓ14）。ここでは，「１．検査に当たっての事前の指示」がカーソル37で示される。また，戻るボタン35，次へボタン36が表示される。
【００４０】
検査員装置10のページ別端末制御データ記憶領域（図６）のＰ１の制御データが読出され，各端末装置20に送信される。また，端末装置20におけるタッチパネルからの入力が無効化される（Ｓ15）。タッチパネルからの入力の無効化にはさまざまな方法がある。端末装置20がタッチパネルの読取りを行なわない，読取りを行っても読取ったデータを消去する（または無効のフラグを立てる），検査員装置10に送信しない，検査員装置10は読取りデータの受信を禁止する，受信してもそのデータを消去するなどである。いずれにしても，このとき受検者が端末装置20のタッチパネルに触れても端末装置20または検査員装置10は反応しない。端末装置20は受信したページ別端末制御データ中の表示画面データのＵＲＬ１に基づいて検査員装置10の端末用表示画面データ記憶領域（図４）をアクセスし画像データを読出す。このとき端末装置20に表示される画面が図15に示されている。受検者はこの画面の指示にしたがって検査員の説明を聞くことになる。検査員は検査に当たっての事前の指示の話をする。
【００４１】
Ｐ１の手続（処理，動作）は，図15に示す画面を端末装置20に表示するだけで，検査員装置10は何も行なわない。
【００４２】
ページ別端末制御データを送信し，入力の無効化（Ｓ15）の処理を行った後に，検査員装置10が実行すべきいくつかの処理ルーチンが用意されている。これらを図９ではＲ１，Ｒ２，Ｒ３，Ｒ４で示す。Ｐ１の処理のときはＲ１を選択するから，主プログラムに従う処理は元に戻る。ページ番号ごとにＲ１〜Ｒ４のうちどのルーチンに進むかはあらかじめ定められている。
【００４３】
次へボタン36が押されると（Ｓ12），Ｐ２の「２．諸注意」に進み，Ｓ14，Ｓ15の処理を経て端末装置20には注意事項が表示される。この場合もルーチンＲ１を通る。戻るボタン35が押されたときには，１つ前のページの処理に戻ることになる。遷移記憶領域更新，表示画面更新（Ｓ14）は１つ前へ戻す処理となる。
【００４４】
次へボタン36が押されてＰ３の処理となる。これは図13に示す「３．質問確定」の処理である。この場合には，端末装置20の画面は，Ｓ15で，図16に示す質問があるかどうかを尋ねる画面となり，ルーチンＲ２に進む（第２の端末制御手段）。
【００４５】
図16の画面では受検者は質問の有無を「いいえ」，「はい」，のいずれかをタッチすることにより答えることができる。検査員は画面表示に加えて質問があるかどうかを口頭で尋ねてもよいのはいうまでもない。この答えをセンスするために端末装置20における入力無効化が解かれ，タッチが許可される（Ｓ21）（第２の端末制御手段）。各端末装置20から，受検者によるタッチの回答が検査員装置10に送信されるので（第２の端末制御手段），装置10はこれを受信し，表示画面の進行管理表32に表示する（Ｓ22）。図13の例では，端末番号が１と２の端末装置から質問あり（はい）の回答があり，端末番号２の受検者の質問に検査員が口頭で回答した状態を示している。質問がある場合には，事前指示／説明のコラムの端末番号１，２に該当する箇所に質問の文字が表示される。検査員が口頭で回答し，質問者が納得したときに検査員が該当箇所をタッチすると，質問の文字が丸の表示に変わる（端末番号２に対応して丸が表示されている）。端末番号１の端末にまだ「質問」が残っているので，検査員が端末番号１の受検者に口頭で回答して該当箇所をタッチすれば，このページＰ３の処理は終る（Ｓ23）。
【００４６】
事前指示／説明のカテゴリーの３番目の項目が進行中であることを示すために，端末番号３〜10に対応して事前指示／説明のコラムには３の数字が表示されている。カーソル37に加えて，この数字によっても，検査員は進行の段階を知ることができる。事前指示／説明のカテゴリーの４番目の項目まで終了すると，事前指示／説明のコラムにはすべての端末番号に対応して丸が表示される（図14参照）。
【００４７】
自己申告のカテゴリーに移ると，まず，自己申告用紙を今から端末装置20に表示するので読めるかどうかを確認せよ，という検査員による口頭の説明（表示画面で表示してもよい）があり，Ｐ５で図17に示すような自己申告用紙が端末装置20に表示される（Ｓ12，Ｓ14，Ｓ15）（第１の端末制御手段）。続いてＰ６で図18に示すような，文字が読めるか，どうかを確認する画面に移る（Ｓ12，Ｓ14，Ｓ15）（第１の端末制御手段）。この場合もルーチンＲ２に進み，端末装置20で受検者が入力した回答が検査員装置10に送られ（第１の端末制御手段），その表示画面の進行管理表32の自己申告のコラムに回答結果が表示される。この場合には，「いいえ」と回答した端末番号に対応してその旨が表示され，他は項目番号２が表示されていることになる。
【００４８】
Ｐ７のページの処理の段階では，端末装置20の表示画面に再び自己申告用紙が表示される（Ｓ12，Ｓ14，Ｓ15）（第１の端末制御手段）。この場合にはルーチンＲ３に進む。端末装置20のタッチパネル上で氏名，生年月日等を手書き入力させるために，無効化されていた端末装置20の表示画面上のタッチパネルからの入力（読込み）が許可され（Ｓ31）（第１の端末制御手段），図19に示すように手書きされ，読取られた文字，数字等が端末装置20から検査員装置10に送信される（Ｓ32）（第１の端末制御手段）。読取られたイメージデータは該当するページの読取データ記憶領域（端末数分）に格納されるか，または検査員装置10の記憶部13に記憶される。そして検査員装置10において，受信した手書きデータ（イメージデータ）のうち，氏名の欄のイメージデータが切り取られ，検査員装置10の進行管理表32に，端末装置のイメージデータごとに端末番号に対応して，氏名のコラムに表示される（Ｓ33）。これにより検査員は各受験者が氏名を入力したこと，次に続く設問の回答者が誰であるかを特定することができる。なお，自動車の運転免許の更新時等における認知機能検査においては，事前に運転免許証等で本人確認を行っているので，手書き氏名はその中の誰であるかを特定できる程度で充分である。また，ルーチンＲ３においても，後述するルーチンＲ４のように，時間制限を設けてもよい。
【００４９】
見当識のカテゴリーに進む（Ｐ８〜Ｐ10）。ここからが採点の対象となる設問である。見当識の検査が設問１である。検査の説明（ルーチンＲ１），質問確認（ルーチンＲ２）ののち，回答用紙１が各端末装置20の表示画面に表示され，手書きが許可される。Ｓ12，Ｓ14，Ｓ15からルーチンＲ４のＳ41に処理が進む（検査時間制御手段）。この検査には制限時間（たとえば２分）が設定されている。したがって，検査の開始（手書き許可）（Ｓ41）からの経過時間が計時される。
【００５０】
所定時間が経過すると（Ｓ42）（検査時間制御手段），端末装置20のタッチパネルにおける手書き入力が禁止（無効化）され（Ｓ43）（検査時間制御手段），読取られた手書き入力（イメージデータ）は検査員装置10に送信され（検査時間制御手段），読取データ記憶領域（端末数分）に記憶される（Ｓ44）。この設問１における回答の一例が図20に示されている。このような採点対象の設問に対する回答のデータは，端末番号に対応して記憶部13に記憶するようにしてもよい。設問１の回答は文字認識処理によりテキストデータに変換されて正解と照合されることにより正誤が判定される。
【００５１】
遅延再生の検査説明，イラスト記憶の作業に進む。検査説明，質問確認ののち，初期設定で選択されたパターンのイラストを順に，または複数枚同時に端末装置20の表示画面に表示する。これらのイラスト表示の処理はＳ12，Ｓ14，Ｓ15からルーチンＲ１を通る。
【００５２】
表示されるイラストの例が図21，図22，図23に示されている。これらは，オルガン，フライパン，ベッドである。これらの各イラストを表示している一定時間の間，検査員は，これはオルガンですねなどと物品名等を口頭で話をして受検者に印象付けるようにする。また，楽器があります（ヒント），それはオルガンですね，のようにヒントを添えて記憶しやすいようにする。複数枚のイラストを同時に表示した場合でも，イラストで描かれた物品名等の発音（印象付け）は１枚のイラストずつ順に（一定の順序で）行なわれる（所定順序の提示）。
【００５３】
次の介入課題（設問２）は上述したように一連のランダム数字のうち，指定された数字を斜線で消していくものであり，先に示したイラストを意図的に忘れるようにするものである。制限時間を計時するときにはルーチンＲ４を通る。設問２は採点の対象にはならない。
【００５４】
遅延回答（自由回答）では，検査説明（ルーチンＲ１），質問確認（ルーチンＲ２）の後，先に遅延再生（イラスト記憶）で表示したイラストの物品名（単語）を端末装置20の表示画面に表示された回答用紙に書かせる。記入済の回答例が図24に示されている。回答用紙に上下方向に並べて16の記入欄があり，受検者は思い出す単語を順に記入していく。端末装置20で入力された回答（イメージデータ）は検査員装置10に送られ，その記憶部13に記憶される。この回答記入は時間制限（たとえば３分）があり，ルーチンＲ４を通る。
【００５５】
続いて遅延再生（手がかり回答）に進む。ここでも検査説明（ルーチンＲ１），質問確認（ルーチンＲ２）がある。この質問確認の段階における検査員装置10の表示画面の例が図14に示されている。遅延再生（自由回答）までのカテゴーについてはすべて丸印が表わされ，終了していることが分る。質問の表示が端末番号１についてあり，端末番号２については終了の丸印が記入され，他の端末番号については２番目の項目を示す２の文字が表示されている。
【００５６】
回答記入は時間制限（たとえば３分）があるので，ルーチンＲ４を通る。回答例が図25に示されている。手がかり回答では回答用紙にヒントがあらかじめ記入して表示される。受検者は端末装置20の表示画面（タッチパネル）上で，各記入欄に回答を手書きで記入していく。ヒントがあるので回答が比較的容易になる。端末装置において手書き入力された回答（イメージデータ）は，検査員装置10に送信され，その記憶部13に記憶される（Ｓ44）。
【００５７】
最後の問題は時計描画である。検査説明，質問確認ののち，まず時計の文字盤を端末装置20の表示画面上で描かせる。制限時間（たとえば１分）があるので，ルーチンＲ４を通る。次に初期設定で設定した時間を口頭で言い，または端末装置20の表示画面に表示して，描いた文字盤上に短針と長針で表現させる。これも制限時間があるので，ルーチンＲ４を通る。制限時間経過後に，表現された時計の文字盤と短針，長針の絵（イメージデータ）は検査員装置10に送られ，その記憶部13に記憶される。回答例が図26に示されている。
【００５８】
最後に図27の終了画面が端末装置20に表示され，認知機能検査は終了する。
【００５９】
検査員は検査終了後ただちに，または時間をおいてから，採点にとりかかる。この実施例では検査員装置10は自動採点機能（手書き文字の採点装置，正誤判定装置，正誤修正装置）を持っている。その一例を次に示す。
【００６０】
図28は端末番号１の端末装置20から送られてきた見当識の設問の解答例を自動採点した結果を示すものである。画面の左側に正解例が，右側に受検者の回答が表示されている。基準に従って採点された結果の得点も表示される。
【００６１】
端末装置20から入力する回答イメージは検査員装置10において文字認識処理でテキストデータに変換される。変換されたテキストデータによって表わされる文字，数字が回答イメージ（画面中，右側の回答用紙１）に隣接して小さく（または色を変えて）表示される。自動採点（正誤の判定）は，正解例を示すテキストデータと文字認識処理で変換された回答のテキストデータとの照合により行なわれる。両テキストデータが一致すれば正，不一致ならば誤である。正，誤の自動判定結果は，各回答欄の右側のチェックボックス38に表示される。チェックされているのが正である。検査員は，正解例（画面中，左側の回答用紙１），文字認識結果の文字，数字，手書き回答を目視で比較して，自動判定結果が正しいかどうかを判断する。自動判定が誤っていた場合には（回答が正しいにもかかわらずチェックボックス38にチェックされていない），その回答についてチェックボックスにチェックして自動判定結果を修正する。図28の例では，手書き文字の水曜日が木曜日と誤認識された結果，自動判定では誤とされているが，目視で判断すれば水曜日と分るので，対応するチェックボックス38にチェックして自動判定結果を修正する。これにより得点も自動的に修正される。今は何時何分ですかという最後の問に対する正解範囲（誤差の範囲）はあらかじめ定めておくとよい。
【００６２】
図29は検査員装置10において遅延再生（自由回答）の採点の過程を示す表示画面の例である。遅延再生（自由回答）では，一般に受検者はイラストの物品名等（単語）を思い出す順で回答用紙の記入欄に上から下に向って記入していく（右側の回答用紙３）。正解例は一般に遅延再生（イラスト記憶）の段階でイラストを表示した順に配列される（左側の回答用紙３）。したがって，受検者の回答における物品名等の記入欄における順番と正解例物品名の順番とが必ずしも一致しない。そのために，両者を対比して目視で正誤判定するのは非常に困難であるし，時間がかかる。
【００６３】
図29の例を参照して説明する。図10に示す採点プログラムは，このような問題点を解決するものである。この採点プログラムは，まず自動採点（正誤判定）を行い，続いて検査員による修正を受入れるものであり，検査員による修正作業を簡便なものとするものである。
【００６４】
これらの図（図10，図29）と，さらに図８に示す正解記憶領域とを参照して説明する。端末番号１の端末装置における手書き回答を例にとる。
【００６５】
図29に示すように，検査員装置10の表示画面の左側に所定数（提示したイラストの数，一例として16個）の正解例（物品名等を表わす単語）が所定の順序（提示の順序）で縦に配列されている。表示画面の右側には受検者が入力した手書き文字（手書き単語）が，受検者が記載した通りの順序で表示されている（Ｓ51）。
【００６６】
受検者の手書き文字（単語）が公知の文字認識処理によりテキストデータに変換され，手書き文字に隣接してそのテキストデータによって表わされる文字（単語）（テキスト文字）（テキスト変換文字）が表示される（Ｓ52）。
【００６７】
検査員装置10において，正解例のテキストデータと文字認識結果のテキストデータとがその順序を問わず比較される。文字認識結果のテキストデータのうち正解例のテキストデータと一致するものがあれば，正答と判定し（Ｓ53）（正誤判定手段），正答が存在する正解テキストデータについて，正解記憶領域（図８）において正答存在を記憶する（チェックする）（Ｓ54）。上述したように，図８において，正解存否の欄でチェックされたものは手書き回答に正答（正解）が存在するものである。上記の判定の結果を表示画面に表示する（判定結果の表示欄39）。すなわち，正答と判定されたものについてはその正解文字を手書き文字（及びテキスト変換文字）に対応して表示し，正答ではないと判定されたものについては不正解という文字を手書き文字（及びテキスト変換文字）に対応して表示する（Ｓ55）（判定結果表示手段）。
【００６８】
検査員は不正解と表示された手書き文字に着目し，まずそれが正しく文字認識されているかどうかをチェックする。たとえば，大砲は大石包と誤認識されているが，手書き文字をみれば大砲であることが分る。そこで，大砲に対応する不正解の文字をタッチして，手動採点（判定）修正を要求する（Ｓ56）。
【００６９】
検査員装置10において，図８の正解記憶領域（正答存否記憶手段）が参照され，正答が存在するとチェックされている以外の正解文字（残り正解文字）を正解一覧（残り正解一覧）40に表示する（Ｓ57）（参照正解表示手段）。検査員が正解一覧をみて，そこに大砲の文字があれば，手書き回答の大砲は正答である。検査員が正解一覧の大砲の文字をタッチすると（Ｓ58），手書き文字大砲（認識文字：大石包）に対応する不正解の文字が大砲に修正され，かつ正解記憶領域の大砲に対応する正解存否チェックが更新される（正答存在とされる）（Ｓ59）（更新手段）。正答存在の更新に応じて，正解一覧の大砲の文字の表示が消える（表示の更新）。図29の正解一覧40は大砲の文字の表示が消去された状態を示している。また，判定結果も，正答数が８から９になるので，それに応じて書き替えられる。
【００７０】
他の不正解文字である「筆」と「イス」と「バナナ」については正解一覧に存在しないので，不正解のままとなる。
【００７１】
このようにして，正解文字のうち正答と判定されたものを除く正解一覧が表示されるので，検査員は自動判定結果を容易に修正することができるようになる。
【００７２】
図30は遅延再生（手がかり回答）の正誤の自動判定（採点）結果を示している。遅延再生（手がかり回答）はヒントがあり，そのヒントに対応して回答を手書きするので，手書き文字の並びの順序が正解例の並びの順序と一致している。したがって，正解文字と手書き文字とを左右に対比すれば容易に正誤の判断が可能である。図30に示す例では，文字認識による変換テキストデータに対応する文字も表示されている。手書き文字と変換テキストデータの文字とを比較し，正しく文字認識されているかどうかを判断し，チェック欄38で修正すればよい。
【００７３】
上記の正誤判定結果は採点表（図７）に記憶される。この正誤判定結果に基づいて採点が行なわれる（採点手段）。たとえば，遅延再生（自由回答）の場合，正答の数に応じた点数が配点される。遅延再生（手がかり再生）も同様であるが，遅延再生（自由回答）の正答の方が高い点が付けられる。検査員による上記の修正入力の結果に応じて採点が更新される（更新手段）。
【００７４】
図31は時計描画の回答例を示すものである。ここでも画面の左側に正解例が右側に手書き描画が表示される。これらを対比することにより，検査員が目視で正誤判定することもできるし，検査員装置10に自動判定させもよい。
【００７５】
図32から図39は検査員装置10による他の採点例（正誤判定，その修正の例）を示すものである。この採点例では他の端末番号の端末装置20から送られてきた解答例を用いる。
【００７６】
図33は見当識の設問の解答例を検査員装置10が自動採点したものである。
【００７７】
図33を図28と対比して分るように，図33においては文字認識処理で変換されたテキストデータによって表わされる文字，数字の表示がない。すなわち，検査員装置10の表示画面の左側に受検者による手書き文字（回答例）が表示され，右側に正解例が表示されている（左右，逆でもよい）。回答例と正解例との間にチェックボックス38が設けられ，ここに自動判定結果が表示されている（正解はボックスにチェックされている）。図33の例はすべての回答が正解であるが，もし不正解のものがあり，チェックボックス38にチェックされていないものがあっても，検査員はチェックボックスの左右の回答と正解とを対比して，目視で正誤を判断することができ，正しければ対応するチェックボックス38にチェックを入れることができる。このように，文字認識処理により得られる変換テキストデータによって表わされる文字，数字を必ずしも表示しなくても検査員による自動判定結果の修正は可能である。
【００７８】
図34は検査員装置10において遅延再生（自由回答）の採点の過程を示す表示画像の例である。画面の左側に受検者による回答（手書き文字）が示されており，右側に正解例が並んで表示されている。これらの手書き文字と正解例との間に正誤判定欄39が設けられている。正誤判定欄39においては，自動判定の結果，正解のものについてのみ，自動判定における文字認識結果のテキスト変換文字が表わされ，不正解のものについては「不正解」の文字が表示されている。正解例（正解欄）においては，正解の文字（単語）が，自動判定で正解と判定されたものについては手書き文字（単語）に対応して（縦方向の同じ並び順の位置に，すなわち同じ高さ位置に）表記されている（大砲，スカート，ブドウなど）。正解欄において，自動判定で不正解と判定されたものについては，それらに対応して正解の文字群の中から任意に選択されて表示されている。図32の正解記憶領域の記憶と対比すれば分るように，正解記憶領域ではオルガンは上から２番目に配置されているが，図34の正解例の欄では上から３番目にある。それは，上から２番目にはスカートという正解と判定された手書き文字があるからである。このように，図34の例では，自動判定で正解と判定されたテキスト文字のみ正誤判定欄39に表示されている（図10のＳ52の変換テキスト表示が一部についてのみ行なわれている）。正誤判定欄39には変換テキスト文字を表示せずに，正誤の結果のみ（正，誤の文字のみ，正解，不正解の文字のみ，〇，×，チェックなどの記号のみ）を表示してもよい。この場合には図10のＳ52の変換テキスト表示（変換テキスト文字の一覧の表示）が行なわれない。
【００７９】
検査員は図34に示される表示において，自動判定の修正を行うために，たとえば正誤判定欄39の上から３番目にある不正解の文字をクリックする。すると，図35に示すように，残り正解一覧40のプルダウンリストが表示される（図10，Ｓ57）。このプルダウンリストは図32に示す正解記憶領域を参照して作成される。自動判定処理の結果，手書き文字が正解であると判定されたものは，大砲，テントウムシ，ライオン，ブドウ，スカート，ペンチ，ベッドである。残りの正解はオルガン，耳，ラジオ，タケノコ，フライパン，ものさし，オートバイ，にわとり，バラである。これらの残り正解の一覧40が表示されるので（図10，Ｓ57），検査員は回答欄の上から３番目の手書き文字を目視で判断し，フライパンと読めるので，そしてフライパンは残り正解一覧40の中にあるので，手書き文字フライパンは正解であると判断する。残り正解一覧40中のフライパンの文字をクリックすると（図10，Ｓ58），正誤判定欄39の上から３番目の位置にフライパン（正解の意味）の文字が表示される。また，正解記憶領域（図32）において，正解フライパンに正解ありのチェックがなされる（図10，Ｓ59）。このように，手書き文字が不正解（誤り）である旨の指示と，残り正解要求に応じて残り正解一覧40の表示がなされれば，テキスト変換文字の表示がなくても自動判定の検査員による修正作業が可能であり，かつ検査員の負担が軽減する。
【００８０】
図36は，図34または図35の表示に加えて，テキスト変換文字の一覧を表示した例を示している。手書き文字フライパンが自動文字認識処理によりクライパンと誤認識されていることが分る。
【００８１】
図37はテキスト変換文字の欄のみならず正解例の欄も表示しない例を示している。このように手書き文字の表示と，手書き文字に対応して正誤判定結果さえ表示すれば，検査員は自動判定により不正解と判定された手書き文字が本当に誤っているのか，それとも正しいのかを，残り正解一覧40を表示させて（図10，Ｓ56の自動採点修正要求を入力して）容易に判定（修正）することができるようになる。残り正解一覧40を，手書き回答欄または正誤判定欄39の左側または右側に，不正解の文字のクリックを待つことなく（図10，Ｓ56の手動採点修正要求の有無の判断を省略して）表示させてもよい。
【００８２】
図38は遅延再生（手がかり回答）の正誤の自動判定結果を示している。左側の手書き文字の欄と右側の正解の欄との間に，正誤のチェックボックス38がある。検査員は手書き文字のうち，チェックボックス38にチェックされていない（自動判定で誤と判定されたもの）について，右側の欄の正解と対比すれば，一目して手書き文字の正誤を判断して，自動判定に誤りがあればそれをチェックボックス38において修正することができる。この図ではテキスト変換文字が表示されているが，この表示を省略してもよい。
【００８３】
図39は時計描画の回答例と自動判定結果を示している。チェックボックス38においてチェックされていない（自動判定で誤りと判断された項目）について，チェックボックス38の右側の表示ボタンをクリックすると，判断基準（正解の範囲）を表わしたプルダウンリストが現われるので，検査員はこの判断基準を参照して，左側の手書き描画回答と右側の正解例とを対比し，自動判定の必要な修正を行うことができる。
【００８４】
手書き文字の採点装置（方法，プログラム）について，認知機能検査の採点（正誤判定）を例に説明したが，この発明は認知機能検査の採点に限られることはなく，あらゆる手書き文字の採点（正誤判定）に適用できるのはいうまでもない。また，上記実施例の認知機能検査実施（進行管理）システムでは，複数台の端末装置における表示，処理等が同時的に進行しているが，個々の受検者の回答の進行にあわせて，設問進行が速い端末装置があったり，遅い端末装置があったりしてもよい。
【符号の説明】
【００８５】
10  検査員装置
11  制御部
12  表示部
13  記憶部
20  端末装置
38  チェックボックス
39  正誤判定結果
40  正解一覧（残り正解一覧）
【図１】
2020030785.tif 000003
【図２】
2020030785.tif 000004
【図３】
2020030785.tif 000005
【図４】
2020030785.tif 000006
【図５】
2020030785.tif 000007
【図６】
2020030785.tif 000008
【図７】
2020030785.tif 000009
【図８】
2020030785.tif 000010
【図９】
2020030785.tif 000011
【図１０】
2020030785.tif 000012
【図１１】
2020030785.tif 000013
【図１２】
2020030785.tif 000014
【図１３】
2020030785.tif 000015
【図１４】
2020030785.tif 000016
【図１５】
2020030785.tif 000017
【図１６】
2020030785.tif 000018
【図１７】
2020030785.tif 000019
【図１８】
2020030785.tif 000020
【図１９】
2020030785.tif 000021
【図２０】
2020030785.tif 000022
【図２１】
2020030785.tif 000023
【図２２】
2020030785.tif 000024
【図２３】
2020030785.tif 000025
【図２４】
2020030785.tif 000026
【図２５】
2020030785.tif 000027
【図２６】
2020030785.tif 000028
【図２７】
2020030785.tif 000029
【図２８】
2020030785.tif 000030
【図２９】
2020030785.tif 000031
【図３０】
2020030785.tif 000032
【図３１】
2020030785.tif 000033
【図３２】
2020030785.tif 000034
【図３３】
2020030785.tif 000035
【図３４】
2020030785.tif 000036
【図３５】
2020030785.tif 000037
【図３６】
2020030785.tif 000038
【図３７】
2020030785.tif 000039
【図３８】
2020030785.tif 000040
【図３９】
2020030785.tif 000041
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
複数の正解単語に対応する手書き単語の存否を判定して採点する手書き単語の採点装置において，
入力された採点対象の手書き単語をテキストデータに変換して複数の正解単語データと照合し，いずれかの正解単語に正しく対応する正答手書き単語を特定する正誤判定手段，
正しく対応すると特定された正答手書き単語の存否を正解単語について記憶する正答存否記憶手段，
表示装置の表示画面上に入力された手書き単語を表示するとともに，上記正誤判定手段による正誤判定結果を手書き単語に対応させて表示する判定結果表示手段，ならびに
上記正答存否記憶手段の記憶に基づいて，正答手書き単語が存在する正解単語を除く残りの正解単語を上記表示画面に表示する参照正解表示手段，
を備える手書き文字の採点装置。
【請求項２】
表示画面に表示された残りの正解単語のうちの一つが指示されたことに応答して上記正答存否記憶手段において指示された正解単語の存在を記憶する更新手段，
をさらに備える，請求項１に記載の手書き文字の採点装置。
【請求項３】
上記正誤判定手段によって正解単語に正しく対応すると判定された正答手書き単語の少なくとも数に基づいて採点する採点手段をさらに備え，
上記更新手段は，一つの正解単語が指示されたことに応答して上記採点手段における点数を更新する，
請求項２に記載の手書き文字の採点装置。
【請求項４】
上記判定結果表示手段は変換テキストデータによって表わされるテキスト文字を入力された手書き単語に対応させて表示する，請求項１から３のいずれか一項に記載の手書き文字の採点装置。
【請求項５】
複数の正解単語に対応する手書き単語の存否を判定して採点する手書き単語の採点装置において，
入力された採点対象の手書き単語をテキストデータに変換して複数の正解単語データと照合し，いずれかの正解単語に正しく対応する正答手書き単語を特定する正誤判定手段，
正しく対応すると特定された正答手書き単語の存否を正解単語について記憶する正答存否記憶手段，
表示装置の表示画面上に手書き単語を表示するとともに，変換テキストデータによって表わされるテキスト文字と上記正誤判定手段による正誤判定結果を手書き単語に対応させて表示する判定結果表示手段，ならびに
上記正答存否記憶手段の記憶に基づいて，正答手書き単語が存在する正解単語を除く残りの正解単語を上記表示画面に表示する参照正解表示手段，
を備える手書き文字の採点装置。
【請求項６】
複数の正解単語に対応する手書き単語の存否を判定して採点する手書き単語の採点方法において，
正誤判定手段が，入力された採点対象の手書き単語をテキストデータに変換して複数の正解単語データと照合し，いずれかの正解単語に正しく対応する正答手書き単語を特定し，
正答存否記憶手段が，正しく対応すると特定された正答手書き単語の存否を正解単語について記憶し，
判定結果表示手段が，表示装置の表示画面上に手書き単語を表示するとともに，上記正誤判定手段による正誤判定結果を手書き単語に対応させて表示し，そして
参照正解表示手段が，上記正答存否記憶手段の記憶に基づいて，正答手書き単語が存在する正解単語を除く残りの正解単語を表示画面に表示する，
手書き文字の採点方法。
【請求項７】
複数の正解単語に対応する手書き単語の存否を判定して採点する手書き単語の採点プログラムにおいて，
入力された採点対象の手書き単語をテキストデータに変換して複数の正解単語データと照合し，いずれかの正解単語に正しく対応する正答手書き単語を特定し，
正しく対応すると特定された正答手書き単語の存否を正解単語について記憶し，
表示装置の表示画面上に手書き単語を表示するとともに，上記特定結果を手書き単語に対応させて表示し，そして
上記正答存否の記憶に基づいて，正答手書き単語が存在する正解単語を除く残りの正解単語を表示画面に表示するようにコンピュータを制御する手書き文字の採点プログラム。